(57)【要約】【課題】本発明は各表示タイルの位置の調整が可能な表示装置の提供を目的とする。【解決手段】表示装置２００は、表示タイル１０１〜１０６と、互いに隣接して配置された２つの表示タイル間に設けられた位置調整機構を備え、位置調整機構は、位置調整機構の一方側の表示タイルに設けられた第１の開口部２１，３１，４１と、位置調整機構の他方側の表示タイルに設けられた第２の開口部２２，３２，４２と、偏心ピン８０と、を備え、偏心ピン８０は、第１の円柱部分８１と、第２の円柱部分８２と、を備え、第１の円柱部分８１の回転中心と第２の円柱部分８２の回転中心がずれており、第１の円柱部分８１は第１の開口部に嵌合し、第２の円柱部分８２は第２の開口部に嵌合し、偏心ピン８０の回転に応じて、互いに隣接して配置された２つの表示タイルが表示面に対して前後方向に相対的に移動する。【選択図】図１
2017211400.tif 000002
【特許請求の範囲】
【請求項１】
マトリックス状に配置された複数の画像表示用の表示タイルと、
互いに隣接して配置された２つの前記表示タイル間に設けられた位置調整機構と、
を備え、
前記位置調整機構は、
前記位置調整機構の一方側の前記表示タイルに設けられた第１の開口部と、
前記位置調整機構の他方側の前記表示タイルの前記第１の開口部と対向する位置に設けられた第２の開口部と、
偏心ピンと、
を備え、
前記偏心ピンは、第１の円柱部分と、第２の円柱部分と、を備え、
前記第１の円柱部分の回転中心と前記第２の円柱部分の回転中心がずれており、
前記第１の円柱部分は前記第１の開口部に嵌合し、
前記第２の円柱部分は前記第２の開口部に嵌合し、
前記偏心ピンの回転に応じて、互いに隣接して配置された２つの前記表示タイルが表示面に対して前後方向に相対的に移動する、
表示装置。
【請求項２】
前記第１の開口部又は前記第２の開口部は、表示面と平行な方向に延在するスリット形状である、
請求項１に記載の表示装置。
【請求項３】
マトリックス状に配置された複数の前記表示タイルを起立した状態に保持する設置台と、
前記設置台と前記設置台に接する前記表示タイルとの間に設けられた設置台用位置調整機構と、
をさらに備え、
前記設置台用位置調整機構は、
前記設置台に接する前記表示タイルに設けられた第３の開口部と、
前記設置台の前記第３の開口部と対向する位置に設けられた第４の開口部と、
設置台用偏心ピンと、
を備え、
前記設置台用偏心ピンは、第３の円柱部分と、第４の円柱部分と、を備え、
前記第３の円柱部分の回転中心と前記第４の円柱部分の回転中心がずれており、
前記第３の円柱部分は前記第３の開口部に嵌合し、
前記第４の円柱部分は前記第４の開口部に嵌合し、
前記設置台用偏心ピンの回転に応じて、前記設置台と前記設置台に接する前記表示タイルが表示面に対して前後方向に相対的に移動する、
請求項１又は請求項２に記載の表示装置。
【請求項４】
前記第３の開口部又は前記第４の開口部は、表示面と平行な方向に延在するスリット形状である、
請求項３に記載の表示装置。
【請求項５】
前記表示タイルは、マトリックス状に配置された複数のＬＥＤ素子を備える、
請求項１から請求項４のいずれか一項に記載の表示装置。
【請求項６】
前記偏心ピンは、前記偏心ピンを回転させる工具と嵌合する形状を有する頭部をさらに備える、
請求項１から請求項５のいずれか一項に記載の表示装置。
【請求項７】
前記偏心ピンの前記頭部には、前記偏心ピンの回転角度を示す基準線が設けられている、
請求項６に記載の表示装置。
【請求項８】
前記設置台用偏心ピンは、前記設置台用偏心ピンを回転させる工具と嵌合する形状を有する頭部をさらに備える、
請求項３又は請求項４に記載の表示装置。
【請求項９】
前記設置台用偏心ピンの前記頭部には、前記設置台用偏心ピンの回転角度を示す基準線が設けられている、
請求項８に記載の表示装置。
【発明の詳細な説明】
【技術分野】
【０００１】
本発明は表示装置に関し、特に複数の表示タイルをマトリックス状に配置して１つの画面を形成する表示装置に関する。
【背景技術】
【０００２】
複数の表示タイルをマトリックス状に配置して１つの画面が形成された表示装置は、屋外、屋内の広告表示等に多く使用されている。例えば、各表示タイルにおいては、複数のＬＥＤ素子が画素としてマトリックス配置される。本明細書では、ＬＥＤ等の表示素子のマトリックス構造体を有する表示パネルを表示タイルと呼ぶ。
【０００３】
画素としてＬＥＤ素子を用いた表示タイルは、画素ピッチが３ｍｍ以上と比較的大きかったため、自然画およびアニメーションの動画像表示が主であった。しかしながら、画素ピッチが１．９ｍｍ、１．５ｍｍ等と小さくなることにより、視認距離が短くなり、会議室や監視用途などパソコンの画像表示用にも使用されている。特に監視用途においては、パソコンから出力される静止画に近い画像を表示することが多くなっている。
【０００４】
また、表示タイルにＬＥＤ素子を実装する形式としては、ＳＭＤ（Ｓｕｒｆaｃｅ  Ｍｏｕｎｔ  Ｄｅｖｉｃｅ：表面実装部品）による実装が主流である。ＳＭＤとは、例えば、セラミック、樹脂等で成型されたキャビティの中にＬＥＤ素子を実装し、封止樹脂で封止した小さなＬＥＤ表示モジュールを基板に実装するものである。
【０００５】
ＬＥＤ素子を画素とする表示タイルにおいては、画素ピッチが３ｍｍ以上の大型映像表示装置が主流であったが、近年ＬＥＤ素子の低コスト化の流れと高精細化の需要を背景に、画素ピッチが１．９ｍｍ、１．５ｍｍ等の高密度化が進んでいる。ＬＥＤ素子を高密度に実装した複数の表示タイルをマトリックス状に配置して大画面を形成する表示装置が市場に導入されている（例えば特許文献１を参照）。また、特許文献２には、複数の表示タイルを連結するための構造が開示されている。
【先行技術文献】
【特許文献】
【０００６】
【特許文献１】米国特許第８３８４６１６号明細書
【特許文献２】中国特許出願公開第１０１９３７６３０号明細書
【発明の概要】
【発明が解決しようとする課題】
【０００７】
複数の表示タイルをマトリックス状に配置して１つの画面を形成する場合、隣接する表示タイルの表示面に段差があると、輝度の変化や指向性の変化などに影響を与え、段差部分がつなぎ目として視認されてしまう。これにより、表示画像の品位が劣化する要因となる。
【０００８】
隣接する表示タイルの表示面の段差は、例えば、表示タイルごとに製造上の寸法のばらつき、表示面の反りなどが原因となって生じる。特許文献１、２に記載の技術では、上述した表示面の段差が考慮されておらず、表示画像の品位が劣化する可能性があった。
【０００９】
本発明は以上のような課題を解決するためになされたものであり、複数の表示タイルをマトリックス状に配置して１つの画面を形成する表示装置であって、各表示タイルの位置の調整が可能な表示装置の提供を目的とする。
【課題を解決するための手段】
【００１０】
本発明に係る表示装置は、マトリックス状に配置された複数の画像表示用の表示タイルと、互いに隣接して配置された２つの表示タイル間に設けられた位置調整機構と、を備え、位置調整機構は、位置調整機構の一方側の表示タイルに設けられた第１の開口部と、位置調整機構の他方側の表示タイルの第１の開口部と対向する位置に設けられた第２の開口部と、偏心ピンと、を備え、偏心ピンは、第１の円柱部分と、第２の円柱部分と、を備え、第１の円柱部分の回転中心と第２の円柱部分の回転中心がずれており、第１の円柱部分は第１の開口部に嵌合し、第２の円柱部分は第２の開口部に嵌合し、偏心ピンの回転に応じて、互いに隣接して配置された２つの表示タイルが表示面に対して前後方向に相対的に移動する。
【発明の効果】
【００１１】
本発明に係る表示装置においては、隣接する２つの表示タイル間に位置調整機構を設けたことにより、隣接する２つの表示タイルの位置を表示面に対して前後方向に調整することが可能となる。これにより、隣接する２つの表示タイル間の表示面の段差を抑制することが可能である。よって、表示装置において、表示タイルの継ぎ目が目立ちにくい、品位の高い、一体感のある画像表示が可能となる。
【００１２】
さらに、本発明に係る位置調整機構は、隣接する２つの表示タイルの相対的な位置を調整する構造である。そのため、表示装置の画面を構成する表示タイルの台数に関わらず、位置調整機構の調整代は、隣接する表示タイルの取付け、製造誤差のみを調整できる範囲の調整代とすればよい。つまり、表示装置の画面を構成する表示タイルの台数が増加しても、位置調整機構の調整代を大きく設定しなくともよい。また、複数の表示タイルを連結し大画面を構成した後でも、調整を行う表示タイルに隣接する表示タイルとの連結を緩めるにより、位置調整機構の調整が可能である。表示装置の画面を構成する表示タイルの台数が増加して、表示装置の画面が大型になっても、表示タイル間の継ぎ目が目立ちにくいため、表示画像の品位向上が期待できる。
【図面の簡単な説明】
【００１３】
【図１】実施の形態１に係る表示装置の表示面側からの斜視図である。
【図２】実施の形態１に係る表示装置の背面側の斜視図である。
【図３】実施の形態１に係る表示タイルの表示面側の斜視図である。
【図４】実施の形態１に係る表示タイルの分解斜視図である。
【図５】実施の形態１に係る表示タイルの背面側の斜視図である。
【図６】図２の領域Ｒ２を拡大した図である。
【図７】垂直方向に隣接する表示タイルの間に設けられた位置調整機構の断面図である。
【図８】偏心ピンの頭部の平面図である。
【図９】偏心ピンの断面図である。
【図１０】偏心ピンが初期位置にある位置調整機構の平面図である。
【図１１】偏心ピンが反時計回りに４５°回転した状態における位置調整機構の平面図である。
【図１２】偏心ピンが反時計回りに９０°回転した状態における位置調整機構の平面図である。
【図１３】偏心ピンが時計回りに４５°回転した状態における位置調整機構の平面図である。
【図１４】図２の領域Ｒ２を拡大した図である。
【図１５】水平方向に隣接する表示タイルの間に設けられた位置調整機構の断面図である。
【図１６】偏心ピンが初期位置にある位置調整機構の平面図である。
【図１７】偏心ピンが反時計回りに４５°回転した状態における位置調整機構の平面図である。
【図１８】偏心ピンが反時計回りに９０°回転した状態における位置調整機構の平面図である。
【図１９】偏心ピンが時計回りに４５°回転した状態における位置調整機構の平面図である。
【図２０】実施の形態２に係る表示装置の表示面側からの斜視図である。
【図２１】実施の形態２に係る表示装置の背面側の斜視図である。
【図２２】図２１の領域Ｒ３を拡大した図である。
【図２３】表示タイルと設置台の間に設けられた設置台用位置調整機構の断面図である。
【図２４】設置台用偏心ピンの頭部の平面図である。
【図２５】設置台用偏心ピンの断面図である。
【図２６】設置台用偏心ピンが初期位置にある設置台用位置調整機構の平面図である。
【図２７】設置台用偏心ピンが反時計回りに４５°回転した状態における設置台用位置調整機構の平面図である。
【図２８】設置台用偏心ピンが反時計回りに９０°回転した状態における設置台用位置調整機構の平面図である。
【図２９】設置台用偏心ピンが時計回りに４５°回転した状態における設置台用位置調整機構の平面図である。
【図３０】表示装置の組み立て方法を説明するための図である。
【発明を実施するための形態】
【００１４】
＜実施の形態１＞
図１は本発明の実施形態における表示装置２００の表示面側からの斜視図である。また、図２は表示装置２００の背面側からの斜視図である。
【００１５】
図１および図２に示すように、表示装置２００は、マトリックス状に配置された複数の画像表示用の表示タイル１０１〜１０６を備える。本実施の形態１において、表示タイル１０１〜１０６を区別しないときは、画像表示タイル１００と記載する。
【００１６】
図１に示すように、表示装置２００において、互いに隣接して配置された２つの表示タイル間には、位置調整機構が設けられている。つまり、表示タイル１０１，１０２の間には位置調整機構Ａ１２が設けられている。表示タイル１０２，１０３の間には位置調整機構Ａ２３が設けられている。表示タイル１０４，１０５の間には位置調整機構Ａ４５が設けられている。表示タイル１０５，１０６の間には位置調整機構Ａ５６が設けられている。
【００１７】
また、表示タイル１０１，１０４の間には位置調整機構Ａ１４ａ，Ａ１４ｂが設けられている。表示タイル１０２，１０５の間には位置調整機構Ａ２５ａ，Ａ２５ｂが設けられている。表示タイル１０３，１０６の間には位置調整機構Ａ３６ａ，Ａ３６ｂが設けられている。
【００１８】
各位置調整機構において調整を行うことにより、位置調整機構の両側の表示タイルを±ｘ方向に相対的に移動させることが可能である。つまり、各位置調整機構において調整を行うことにより、図１において各位置調整機構の傍に記載した矢印ＡＲ１〜ＡＲ１０の方向に相対的に移動させることが可能である。
【００１９】
図１におけるｘ方向とは表示装置２００の表示面に対して前後方向である。例えば、位置調整機構Ａ１２において調整を行うことにより、表示タイル１０１と表示タイル１０２を、矢印ＡＲ１で示す方向に相対的に移動させることが可能である。
【００２０】
＜表示タイル＞
図３は、表示タイル１００の表示面側からの斜視図である。図４は、表示タイル１００の分解斜視図である。また、図５は、表示タイル１００の背面側からの斜視図である。
【００２１】
表示タイル１００は、表示モジュール基板１１と、ベース１２と、モールドベース１３を備える。表示モジュール基板１１には、画素となる複数のＬＥＤ素子がマトリックス状に配置されている。表示モジュール基板の構成はＬＥＤ素子を画素とする従来の表示モジュール基板と同様のため、説明を省略する。
【００２２】
表示モジュール基板１１は、ベース１２に例えばネジ留めにより固定されている。ベース１２は、その背面に位置するモールドベース１３に固定されている。モールドベース１３は、強固な構造体である。モールドベース１３には、表示モジュール基板１１およびベース１２が取り付けられて固定されている。ベース１２の内部には、ＬＥＤ素子を駆動するための駆動回路、電源回路などが収納されている。
【００２３】
図４を用いて、モールドベース１３の構造を説明する。モールドベース１３の上部端面（即ち＋ｚ方向側の端面）には、第２の開口部２２，３２が設けられている。モールドベース１３の下部端面（即ち−ｚ方向側の端面）には、第１の開口部２１，３１が設けられている。また、モールドベース１３の左側端面（即ち−ｙ方向側の端面）には、第２の開口部４２が設けられている。モールドベース１３の右側端面（即ち＋ｙ方向側の端面）には、第１の開口部４１が設けられている。
【００２４】
また、モールドベース１３の各辺には、隣接する２つの表示タイルを連結するための連結用ネジ穴５０，５２，５６，５７および連結用貫通穴５１、５３、５４、５５が設けられている。
【００２５】
上述した表示タイル１００の構成は、表示タイル１０１〜１０６に共通である。即ち、表示タイル１０１〜１０６は表示タイル１００と同一の構成を有する。
【００２６】
＜位置調整機構Ａ３６ｂの構成＞
図６は、図２中の領域Ｒ１を拡大した図である。図６を用いて、位置調整機構Ａ３６ｂの構造について説明する。
【００２７】
表示タイル１０２と表示タイル１０５は、連結用貫通穴５４を貫通して連結用ネジ穴５０にねじ込まれた連結用ボルト７１により固定されている。表示タイル１０３と表示タイル１０６は、連結用貫通穴５５を貫通して連結用ネジ穴５２にねじ込まれた連結用ボルト７１により固定されている。
【００２８】
また、表示タイル１０２と表示タイル１０３は、連結用貫通穴５３を貫通して連結用ネジ穴５７にねじ込まれた連結用ボルト７２により固定されている。表示タイル１０５と表示タイル１０６は、連結用貫通穴５１を貫通して連結用ネジ穴５６にねじ込まれた連結用ボルト７２により固定されている。
【００２９】
図６に示すように、位置調整機構Ａ３６ｂは垂直方向に隣接する表示タイル１０３と表示タイル１０６の間に設けられている。位置調整機構Ａ３６ｂは、位置調整機構Ａ３６ｂの一方側の表示タイル１０３に設けられた第１の開口部３１と、位置調整機構Ａ３６ｂの他方側の表示タイル１０６に設けられた第２の開口部３２と、偏心ピン８０とを備える。第２の開口部３２は第１の開口部３１と対向する位置に設けられている。
【００３０】
図７は、図６中の線分Ａ−Ａに沿った位置調整機構Ａ３６ｂの断面図である。また、図８は偏心ピン８０の頭部の平面図である。図９は、図８中の線分Ｂ−Ｂに沿った偏心ピン８０の断面図である。
【００３１】
図８および図９に示すように、偏心ピン８０は、第１の円柱部分８１と、第２の円柱部分８２と、ネジ部８３を備える。第１の円柱部分８１の回転中心と第２の円柱部分８２の回転中心は距離ｘ１だけずれている。距離ｘ１は、表示パネルの加工寸法のバラツキ、ＬＥＤ表示モジュール基板の反りの程度等によって適宜設定される。加工寸法のバラツキ、基板の反りがそれぞれ１ｍｍ程度である場合は、例えば距離ｘ１は４ｍｍに設定される。
【００３２】
第１の円柱部分８１の端部、即ち偏心ピン８０の頭部は、偏心ピン８０を回転させる工具と嵌合する形状を有する。例えば、偏心ピン８０の頭部には、六角レンチを嵌合させるための六角穴８１ａが設けられている。
【００３３】
また、偏心ピン８０の頭部には、偏心ピン８０の回転角度の目安となる基準線８１ｂが設けられている。基準線８１ｂは例えば、偏心ピン８０の頭部に溝として設けられている。図８に示すように、基準線８１ｂは第１、第２の円柱部分８１，８２の回転中心のずれが最も大きい方向を示す位置に配置されている。
【００３４】
図７に示すように、位置調整機構Ａ３６ｂにおいて、偏心ピン８０の第１の円柱部分８１は、表示タイル１０３のモールドベース１３に設けられた第１の開口部３１に嵌合している。また、偏心ピン８０の第２の円柱部分８２は、表示タイル１０６のモールドベース１３に設けられた第２の開口部３２に嵌合している。
【００３５】
図６に示すように、第１の開口部３１は、表示面と平行な方向（即ちｙ方向）に延在するスリット形状である。第１の開口部３１のｘ方向の幅は、偏心ピン８０の第１の円柱部分８１の直径と等しいか、第１の開口部３１に嵌合した第１の円柱部分８１が滑らかに回転できるだけの遊びを考慮した寸法であるとする。また、第１の開口部３１のｙ方向の長さｙ１は、作業者の手の大きさを考慮した長さとする。図７に示すように、スリット状の第１の開口部３１において、偏心ピン８０の第１の円柱部分８１は、スリットのｙ方向側の端に近い位置に嵌合している。
【００３６】
第２の開口部３２の直径は、偏心ピン８０の第２の円柱部分８２の直径と等しいか、第２の開口部３２に嵌合した偏心ピン８０の第２の円柱部分８２が滑らかに回転できるだけの遊びを考慮した寸法であるとする。
【００３７】
図７に示すように、偏心ピン８０のネジ部８３はナット８４で留められている。これにより、偏心ピン８０が第１、第２の開口部３１，３２から抜けることが防止される。
【００３８】
以上では位置調整機構Ａ３６ｂの構成について説明したが、位置調整機構Ａ１４ａ，Ａ１４ｂ，Ａ２５ａ，Ａ２５ｂ，Ａ３６ａの構成は位置調整機構Ａ３６ｂと同様のため、説明を省略する。
【００３９】
＜位置調整機構Ａ３６ｂの調整方法＞
次に、位置調整機構Ａ３６ｂの調整方法について説明する。図１０は、偏心ピン８０が初期位置にある状態における位置調整機構Ａ３６ｂの平面図である。図１１は偏心ピン８０が反時計回りに４５°回転した状態における位置調整機構Ａ３６ｂの平面図である。図１２は偏心ピン８０が反時計回りに９０°回転した状態における位置調整機構Ａ３６ｂの平面図である。図１３は偏心ピン８０が時計回りに４５°回転した状態における位置調整機構Ａ３６ｂの平面図である。
【００４０】
まず、調整を行う作業者は、表示タイル１０３と表示タイル１０６を固定している連結用ボルト７１と、表示タイル１０３と隣接する表示タイル１０２を固定している連結用ボルト７２を緩め仮止め状態とする。
【００４１】
次に、作業者は、偏心ピン８０を、図９に示す初期位置から時計回り又は反時計回りに最大で９０°回転させながら、表示タイル１０３と表示タイル１０６の表示面の段差が無くなるように調整を行う。
【００４２】
図１０に示すように、初期位置において偏心ピン８０の基準線８１ｂは、第１の開口部３１の延在する方向と平行な位置となっている。図１１に示すように、偏心ピン８０を初期位置から反時計回りに４５°回転させると、表示タイル１０３が表示タイル１０６に対して距離０．７×ｘ１だけ＋ｘ方向に移動する。ここで、＋ｘ方向とは表示面に対して前方の方向である。言い換えると、図１１に示すように、偏心ピン８０を初期位置から反時計回りに４５°回転させると、表示タイル１０６が表示タイル１０３に対して距離０．７×ｘ１だけ−ｘ方向に移動する。ここで、−ｘ方向とは表示面に対して後方の方向である。なお、表示面に対して前方の方向は、図中の＋ｘ方向と厳密に一致しなくてもよい。同様に、表示面に対して後方の方向は、図中の−ｘ方向と厳密に一致しなくてもよい。
【００４３】
図１２に示すように偏心ピン８０を初期位置から反時計回りに９０°回転させると、表示タイル１０３が表示タイル１０６に対して距離ｘ１だけ＋ｘ方向に移動する。
【００４４】
また、図１３に示すように偏心ピン８０を初期位置から時計回りに４５°回転させると、表示タイル１０３が表示タイル１０６に対して距離０．７×ｘ１だけ−ｘ方向に移動する。
【００４５】
以上で説明したように、作業者は、基準線８１ｂを目安に偏心ピン８０を回転させながら位置調整機構Ａ３６ｂの調整作業を行うことにより、表示タイル１０３と表示タイル１０６の表示面の段差が無くなるように調整を行う。
【００４６】
偏心ピン８０の調整後は、緩めた連結用ボルト７１，７２を締め付けることによって表示タイル１０３，１０５の位置が固定される。
【００４７】
以上では、位置調整機構Ａ３６ｂの調整方法について説明したが、位置調整機構Ａ１４ａ，Ａ１４ｂ，Ａ２５ａ，Ａ２５ｂ，Ａ３６ａの調整方法も同様のため、説明を省略する。
【００４８】
＜位置調整機構Ａ２３の構成＞
図１４は、図１中の領域Ｒ１を拡大した図である。図１４を用いて、位置調整機構Ａ２３の構造について説明する。図１４に示すように、位置調整機構Ａ２３は水平方向に隣接する表示タイル１０２と表示タイル１０３の間に設けられている。
【００４９】
位置調整機構Ａ２３は、位置調整機構Ａ２３の一方側の表示タイル１０３に設けられた第１の開口部４１と、位置調整機構Ａ２３の他方側の表示タイル１０２に設けられた第２の開口部４２と、偏心ピン８０とを備える。第２の開口部４２は第１の開口部４１と対向する位置に設けられている。位置調整機構Ａ２３における偏心ピン８０は、図８および図９に示した偏心ピン８０と同じ構成であるため、説明を省略する。
【００５０】
図１５は、図１４中の線分Ｃ−Ｃに沿った位置調整機構Ａ２３の断面図である。図１５に示すように、位置調整機構Ａ２３において、偏心ピン８０の第１の円柱部分８１は、表示タイル１０３のモールドベース１３に設けられた第１の開口部４１に嵌合している。また、偏心ピン８０の第２の円柱部分８２は、表示タイル１０２のモールドベース１３に設けられた第２の開口部４２に嵌合している。
【００５１】
図１４に示すように、第１の開口部４１は、表示面と平行な方向（即ちｚ方向）に延在するスリット形状である。第１の開口部４１のｘ方向の幅は、偏心ピン８０の第１の円柱部分８１の直径と等しいか、第１の開口部４１に嵌合した第１の円柱部分８１が滑らかに回転できるだけの遊びを考慮した寸法であるとする。また、第１の開口部４１のｚ方向の長さ（即ちスリットの長さ）は、作業者の手の大きさを考慮した長さとする。
【００５２】
第２の開口部４２の直径は、偏心ピン８０の第２の円柱部分８２の直径と等しいか、第２の開口部４２に嵌合した偏心ピン８０の第２の円柱部分８２が滑らかに回転できるだけの遊びを考慮した寸法であるとする。
【００５３】
図１５に示すように、偏心ピン８０のネジ部８３はナット８４で留められている。これにより、偏心ピン８０が第１、第２の開口部４１，４２から抜けることが防止される。
【００５４】
以上では位置調整機構Ａ２３の構成について説明したが、位置調整機構Ａ１２，Ａ４５，Ａ５６の構成は位置調整機構Ａ２３と同様のため、説明を省略する。
【００５５】
＜位置調整機構Ａ２３の調整方法＞
次に、位置調整機構Ａ２３の調整方法について説明する。図１６は、偏心ピン８０が初期位置にある状態における位置調整機構Ａ２３の平面図である。図１７は偏心ピン８０が反時計回りに４５°回転した状態における位置調整機構Ａ２３の平面図である。図１８は偏心ピン８０が反時計回りに９０°回転した状態における位置調整機構Ａ２３の平面図である。図１９は偏心ピン８０が時計回りに４５°回転した状態における位置調整機構Ａ２３の平面図である。
【００５６】
まず、調整を行う作業者は、表示タイル１０２と表示タイル１０３を固定している連結用ボルト７２を緩め仮止め状態とする。
【００５７】
次に、作業者は、偏心ピン８０を、図１６に示す初期位置から時計回り又は反時計回りに最大で９０°回転させながら、表示タイル１０２と表示タイル１０３の表示面の段差が無くなるように調整を行う。
【００５８】
図１６に示すように、初期位置において偏心ピン８０の基準線８１ｂは、第１の開口部４１の延在する方向と平行な位置となっている。図１７に示すように、偏心ピン８０を初期位置から反時計回りに４５°回転させると、表示タイル１０３が表示タイル１０２に対して距離０．７×ｘ１だけ＋ｘ方向に移動する。ここで、＋ｘ方向とは表示面に対して前方の方向である。言い換えると、図１７に示すように、偏心ピン８０を初期位置から反時計回りに４５°回転させると、表示タイル１０２が表示タイル１０３に対して距離０．７×ｘ１だけ−ｘ方向に移動する。ここで、−ｘ方向とは表示面に対して後方の方向である。
【００５９】
図１８に示すように偏心ピン８０を初期位置から反時計回りに９０°回転させると、表示タイル１０３が表示タイル１０２に対して距離ｘ１だけ＋ｘ方向に移動する。
【００６０】
また、図１９に示すように偏心ピン８０を初期位置から時計回りに４５°回転させると、表示タイル１０２が表示タイル１０３に対して距離０．７×ｘ１だけ−ｘ方向に移動する。
【００６１】
以上で説明したように、作業者は、基準線８１ｂを目安に偏心ピン８０を回転させながら位置調整機構Ａ２３の調整作業を行うことにより、表示タイル１０２と表示タイル１０３の表示面の段差が無くなるように調整を行う。
【００６２】
偏心ピン８０の調整後は、緩めた連結用ボルト７２を締め付けることによって表示タイル１０２，１０３の位置が固定される。
【００６３】
以上では、位置調整機構Ａ２３の調整方法について説明したが、位置調整機構Ａ１２，Ａ４５，Ａ５６の調整方法も同様のため、説明を省略する。
【００６４】
＜効果＞
本実施の形態１における表示装置２００は、マトリックス状に配置された複数の画像表示用の表示タイル１０１〜１０６と、互いに隣接して配置された２つの表示タイル間に設けられた位置調整機構Ａ１２，Ａ２３，Ａ１４ａ，Ａ１４ｂ，Ａ２５ａ，Ａ２５ｂ，Ａ３６ａ，Ａ３６ｂ，Ａ４５，Ａ５６と、を備え、位置調整機構は、位置調整機構の一方側の表示タイルに設けられた第１の開口部２１，３１，４１と、位置調整機構の他方側の表示タイルの第１の開口部２１，３１，４１と対向する位置に設けられた第２の開口部２２，３２，４２と、偏心ピン８０と、を備え、偏心ピン８０は、第１の円柱部分８１と、第２の円柱部分８２と、を備え、第１の円柱部分８１の回転中心と第２の円柱部分８２の回転中心がずれており、第１の円柱部分８１は第１の開口部２１，３１，４１に嵌合し、第２の円柱部分８２は第２の開口部２２，３２，４２に嵌合し、偏心ピン８０の回転に応じて、互いに隣接して配置された２つの表示タイルが表示面に対して前後方向に相対的に移動する。
【００６５】
本実施の形態１における表示装置２００においては、隣接する２つの表示タイル間に位置調整機構を設けたことにより、隣接する２つの表示タイルの位置を表示面に対して前後方向に調整することが可能となる。これにより、隣接する２つの表示タイル間の表示面の段差を抑制することが可能である。よって、表示装置２００において、表示タイルの継ぎ目が目立ちにくい、品位の高い、一体感のある画像表示が可能となる。
【００６６】
さらに、本実施の形態１における位置調整機構は、隣接する２つの表示タイルの相対的な位置を調整する構造である。そのため、表示装置２００の画面を構成する表示タイルの台数に関わらず、位置調整機構の調整代は、隣接する表示タイルの取付け、製造誤差のみを調整できる範囲の調整代とすればよい。つまり、表示装置２００の画面を構成する表示タイルの台数が増加しても、位置調整機構の調整代を大きく設定しなくともよい。また、複数の表示タイルを連結し大画面を構成した後でも、調整を行う表示タイルに隣接する表示タイルとの連結を緩めるにより、位置調整機構の調整が可能である。表示装置２００の画面を構成する表示タイルの台数が増加して、表示装置２００の画面が大型になっても、表示タイル間の継ぎ目が目立ちにくいため、表示画像の品位向上が期待できる。
【００６７】
また、本実施の形態１における表示装置２００において、第１の開口部２１，３１，４１又は第２の開口部２２，３２，４２は、表示面と平行な方向に延在するスリット形状である。
【００６８】
従って、第１の開口部２１，３１，４１又は第２の開口部２２，３２，４２を、表示面と平行な方向に延在するスリット形状とすることにより、隣接する２つの表示タイルの間隔をスリットの長さ分だけ空けた状態において、第１、第２の開口部に偏心ピン８０を嵌合させることが可能となる。よって、第１、第２の開国部に偏心ピン８０を嵌合させた状態において、スリットを案内として隣接する２つの表示タイルの距離を近づけることが可能となるため、表示装置２００の組み立て作業において、隣接する表示タイル同士の接触によるＬＥＤ素子の破損などを抑制することが可能となる。
【００６９】
また、本実施の形態１における表示装置２００において、表示タイル１０１〜１０６は、マトリックス状に配置された複数のＬＥＤ素子を備える。
【００７０】
従って、単位画素をＬＥＤ素子で実現した表示タイルを複数組み合わせて１つの大画面を構成する表示装置に対して、本実施形態１の表示装置２００を適用可能である。
【００７１】
また、本実施の形態１における表示装置２００において、偏心ピン８０は、偏心ピン８０を回転させる工具と嵌合する形状を有する頭部をさらに備える。
【００７２】
従って、偏心ピン８０の頭部、即ち第１の円柱部分８１の端部に例えば六角レンチと嵌合する六角穴８１ａを設けることにより、六角レンチ等の工具を用いて偏心ピン８０を回転させることが可能となる。
【００７３】
また、本実施の形態１における表示装置２００において、偏心ピン８０の頭部には、偏心ピン８０の回転角度を示す基準線が設けられている。
【００７４】
従って、偏心ピン８０の頭部に基準線を設けることにより、偏心ピン８０がどの程度回転しているかの目安とすることができ、位置調整機構の調整を行う際の利便性が向上する。
【００７５】
＜実施の形態２＞
図２０は、本実施の形態２に係る表示装置３００の表示面側からの斜視図である。また、図２１は、表示装置３００の背面側の斜視図である。
【００７６】
本実施の形態２における表示装置３００は、表示装置２００（図１、２）に対して設置台２０７をさらに備える。マトリックス状に配置された表示タイル１０１〜１０６は、起立した状態で設置台２０７に保持される。図２０および図２１に示すように、表示タイル１０４，１０５，１０６が設置台２０７に固定される。設置台２０７においては、台座部２５の上に位置調整部２６が固定されており、位置調整部２６に表示タイル１０４〜１０６が連結用ボルト７１により固定されている。
【００７７】
図２０に示すように、表示タイル１０４と設置台２０７との間には、設置台用位置調整機構Ａ４７ａ，Ａ４７ｂが設けられる。また、表示タイル１０５と設置台２０７との間には、設置台用位置調整機構Ａ５７ａ，Ａ５７ｂが設けられる。また、表示タイル１０６と設置台２０７との間には、設置台用位置調整機構Ａ６７ａ，Ａ４６ｂが設けられる。
【００７８】
各設置台用位置調整機構Ａ４７ａ，Ａ４７ｂ，Ａ５７ａ，Ａ５７ｂ，Ａ６７ａ，Ａ６７ｂにおいて調整を行うことにより、表示タイル１０３〜１０６のそれぞれを、表示台２０７に対して±ｘ方向に相対的に移動させることが可能である。つまり、各設置台用位置調整機構において調整を行うことにより、図２０において表示パネル１０３〜１０６のそれぞれを、矢印ＡＲ１１〜Ａ１６の方向に表示台２０７に対して相対的に移動させることが可能である。
【００７９】
図２０におけるｘ方向とは表示装置３００の表示面に対して前後方向である。例えば、設置台用位置調整機構Ａ４７ａにおいて調整を行うことにより、表示タイル１０３を表示台２０７に対して、矢印ＡＲ１１で示す方向に相対的に移動させることが可能である。
【００８０】
なお、本実施の形態２において、実施の形態１（図５）における第１の開口部２１，３１のそれぞれを便宜上、第３の開口部２３，３３と記載する。
【００８１】
＜設置台用位置調整機構Ａ６７ａの構成＞
図２２は、図２１中の領域Ｒ３を拡大した図である。図２２を用いて、設置台用位置調整機構Ａ６７ａの構造について説明する。図２２に示すように、設置台用位置調整機構Ａ６７ａは表示タイル１０６と設置台２０７の間に設けられている。
【００８２】
位置調整機構Ａ６７ａは、位置調整機構Ａ６７ａの一方側の表示タイル１０６に設けられた第３の開口部３３と、位置調整機構Ａ６７ａの他方側の設置台２０７の位置調整部２６に設けられた第４の開口部３４と、設置台用偏心ピン９０とを備える。第４の開口部３４は第３の開口部３３と対向する位置に設けられている。
【００８３】
また、位置調整機構Ａ５７ｂは、位置調整機構Ａ５７ｂの一方側の表示タイル１０５に設けられた第３の開口部２３と、位置調整機構Ａ５７ｂの他方側の設置台２０７の位置調整部２６に設けられた第４の開口部２４と、設置台用偏心ピン９０とを備える。第４の開口部２４は第３の開口部２３と対向する位置に設けられている。
【００８４】
図２３は、図２２中の線分Ｄ−Ｄに沿った設置台用位置調整機構Ａ３６ｂの断面図である。また、図２４は設置台用偏心ピン９０の頭部の平面図である。図２５は、図２４中の線分Ｅ−Ｅに沿った設置台用偏心ピン９０の断面図である。
【００８５】
図２４および図２５に示すように、設置台用偏心ピン９０は、第３の円柱部分９１と、第４の円柱部分９２と、ネジ部９３を備える。第３の円柱部分９１の回転中心と第４の円柱部分９２の回転中心は距離ｘ１だけずれている。距離ｘ１は、表示パネルの加工寸法のバラツキ、ＬＥＤ表示モジュール基板の反りの程度等によって適宜設定される。加工寸法のバラツキ、基板の反りがそれぞれ１ｍｍ程度である場合は、例えば距離ｘ１は４ｍｍに設定される。
【００８６】
第３の円柱部分９１の端部、即ち設置台用偏心ピン９０の頭部は、設置台用偏心ピン９０を回転させる工具と嵌合する形状を有する。例えば、設置台用偏心ピン９０の頭部には、六角レンチを嵌合させるための六角穴９１ａが設けられている。
【００８７】
また、設置台用偏心ピン９０の頭部には、設置台用偏心ピン９０の回転角度の目安となる基準線９１ｂが設けられている。基準線９１ｂは例えば、設置台用偏心ピン９０の頭部に溝として設けられている。図２４に示すように、基準線９１ｂは第３、第４の円柱部分９１，９２の回転中心のずれが最も大きい方向を示す位置に配置されている。
【００８８】
図２３に示すように、設置台用位置調整機構Ａ６７ａにおいて、設置台用偏心ピン９０の第３の円柱部分９１は、表示タイル１０６のモールドベース１３に設けられた第３の開口部３３に嵌合している。また、設置台用偏心ピン９０の第４の円柱部分９２は、設置台２０７に設けられた第４の開口部３４に嵌合している。
【００８９】
図２２に示すように、第３の開口部３３は、表示面と平行な方向（即ちｙ方向）に延在するスリット形状である。第３の開口部３３のｘ方向の幅は、設置台用偏心ピン９０の第３の円柱部分９１の直径と等しいか、第３の開口部３３に嵌合した第３の円柱部分９１が滑らかに回転できるだけの遊びを考慮した寸法であるとする。また、第３の開口部３３のｙ方向の長さｙ１は、作業者の手の大きさを考慮した長さとする。
【００９０】
第４の開口部３４の直径は、設置台用偏心ピン９０の第４の円柱部分９２の直径と等しいか、第４の開口部３４に嵌合した設置台用偏心ピン９０の第４の円柱部分９２が滑らかに回転できるだけの遊びを考慮した寸法であるとする。
【００９１】
図２３に示すように、設置台用偏心ピン９０のネジ部９３はナット９４で留められている。これにより、設置台用偏心ピン９０が第３、第４の開口部３３，３４から抜けることが防止される。
【００９２】
以上では設置台用位置調整機構Ａ６７ａの構成について説明したが、設置台用位置調整機構Ａ４７ａ，Ａ４７ｂ，Ａ５７ａ，Ａ５７ｂ，Ａ６７ｂの構成は位置調整機構Ａ６７ａと同様のため、説明を省略する。
【００９３】
＜位置調整機構Ａ６７ａの調整方法＞
次に、位置調整機構Ａ６７ａの調整方法について説明する。図２６は、設置台用偏心ピン９０が初期位置にある状態における位置調整機構Ａ６７ａの平面図である。図２７は設置台用偏心ピン９０が反時計回りに４５°回転した状態における位置調整機構Ａ６７ａの平面図である。図２８は設置台用偏心ピン９０が反時計回りに９０°回転した状態における位置調整機構Ａ６７ａの平面図である。図２９は設置台用偏心ピン９０が時計回りに４５°回転した状態における位置調整機構Ａ６７ａの平面図である。
【００９４】
まず、調整を行う作業者は、表示タイル１０５，１０６と設置台２０７を固定している連結用ボルト７１と、表示タイル１０５と隣接する表示タイル１０６を固定している連結用ボルト７２を緩め仮止め状態とする。
【００９５】
次に、作業者は、設置台用偏心ピン９０を、図２６に示す初期位置から時計回り又は反時計回りに最大で９０°回転させながら、表示タイル１０６の表示面が設置台２０７に対して所望の位置に来るように調整を行う。
【００９６】
図２６に示すように、初期位置において設置台用偏心ピン９０の基準線９１ｂは、第３の開口部３３の延在する方向と平行な位置となっている。図２７に示すように、設置台用偏心ピン９０を初期位置から反時計回りに４５°回転させると、表示タイル１０６が設置台２０７に対して距離０．７×ｘ１だけ＋ｘ方向に移動する。ここで、＋ｘ方向とは表示面に対して前方の方向である。言い換えると、図２７に示すように、設置台用偏心ピン９０を初期位置から反時計回りに４５°回転させると、設置台２０７が表示タイル１０６に対して距離０．７×ｘ１だけ−ｘ方向に移動する。ここで、−ｘ方向とは表示面に対して後方の方向である。
【００９７】
図２８に示すように設置台用偏心ピン９０を初期位置から反時計回りに９０°回転させると、表示タイル１０６が設置台２０７に対して距離ｘ１だけ＋ｘ方向に移動する。
【００９８】
また、図２９に示すように設置台用偏心ピン９０を初期位置から時計回りに４５°回転させると、表示タイル１０６が設置台２０７に対して距離０．７×ｘ１だけ−ｘ方向に移動する。
【００９９】
以上で説明したように、作業者は、基準線９１ｂを目安に設置台用偏心ピン９０を回転させながら位置調整機構Ａ６７ａの調整作業を行うことにより、表示タイル１０６が設置台２０７に対して所望の位置に来るように調整を行う。
【０１００】
設置台用偏心ピン９０の調整後は、緩めた連結用ボルト７１，７２を締め付けることによって表示タイル１０６が設置台２０７に固定される。
【０１０１】
以上では、位置調整機構Ａ６７ａの調整方法について説明したが、設置台用位置調整機構Ａ４７ａ，Ａ４７ｂ，Ａ５７ａ，Ａ５７ｂ，Ａ６７ｂの調整方法も同様のため、説明を省略する。
【０１０２】
＜表示装置の組み立て方法＞
図３０は、表示装置３００の組み立て方法を説明するための図である。表示装置３００の画面は、表示タイル１０１〜１０６の６面で構成される。設置台２０７に対して、表示タイル１０６、１０５、１０４、１０３、１０２、１０１の順番に取り付けながら組み立てを行う。
【０１０３】
まず、表示タイル１０６が設置台２０７に載置される。そして、設置台用位置調整機構Ａ６７ｂ（矢印Ａ１６）の調整および設置台用位置調整機構Ａ６７ａ（矢印Ａ１５）の調整が行われた後、表示タイル１０６が設置台２０７に固定される。
【０１０４】
次に、表示タイル１０５が設置台２０７に載置される。そして、設置台用位置調整機構Ａ５６ｂ（矢印Ａ１４）の調整および設置台用位置調整機構Ａ５６ａ（矢印Ａ１３）の調整が行われた後、表示タイル１０５が設置台２０７に固定される。
【０１０５】
次に、表示タイル１０４が設置台２０７に載置される。そして、設置台用位置調整機構Ａ４５ｂ（矢印Ａ１２）の調整および設置台用位置調整機構Ａ４５ａ（矢印Ａ１１）の調整が行われた後、表示タイル１０４が設置台２０７に固定される。
【０１０６】
次に、位置調整機構Ａ５６（矢印Ａ１０）の調整が行われた後、表示タイル１０５，１０６が互いに固定される。また、位置調整機構Ａ４５（矢印Ａ９）の調整が行われた後、表示タイル１０４，１０５が互いに固定される。
【０１０７】
次に、表示タイル１０３が表示タイル１０６に載置される。そして、設置台用位置調整機構Ａ３６ｂ（矢印Ａ８）の調整および設置台用位置調整機構Ａ３６ａ（矢印Ａ７）の調整が行われた後、表示タイル１０３と表示タイル１０６が互いに固定される。
【０１０８】
次に、表示タイル１０２が表示タイル１０５に載置される。そして、設置台用位置調整機構Ａ２５ｂ（矢印Ａ６）の調整および設置台用位置調整機構Ａ２５ａ（矢印Ａ５）の調整が行われた後、表示タイル１０２と表示タイル１０５が互いに固定される。
【０１０９】
次に、表示タイル１０１が表示タイル１０４に載置される。そして、設置台用位置調整機構Ａ１４ｂ（矢印Ａ４）の調整および設置台用位置調整機構Ａ１４ａ（矢印Ａ３）の調整が行われた後、表示タイル１０１と表示タイル１０４が互いに固定される。
【０１１０】
次に、位置調整機構Ａ２３（矢印Ａ２）の調整が行われた後、表示タイル１０２，１０３が互いに固定される。また、位置調整機構Ａ１２（矢印Ａ１）の調整が行われた後、表示タイル１０１，１０２が互いに固定される。
【０１１１】
実施の形態１、２で説明しように、第１の開口部２１，３１，４１（又は第３の開口部２３，３３）は表示面に平行に延在するスリット形状になっている。スリットの長さｙ１は、作業者の手の大きさを考慮した寸法である。
【０１１２】
図３０に示すように、例えば、作業者は、設置台２０７に表示タイル１０４を設置する際に、まず、設置台用偏心ピン９０が第３の開口部２３の−ｙ方向側の端に来るように偏心ピンを第３の開口部２３および第４の開口部２４に嵌合させる。このとき、表示タイル１０４と既に設置されている表示タイル１０５との間には距離ｙ１だけ隙間が生じている。次に、作業者は、第３の開口部２３のスリットを案内として、表示タイル１０４を表示タイル１０３に隣接する位置まで移動させる。
【０１１３】
このように、第１の開口部２１，３１（又は第３の開口部２３，３３）を表示面に平行に延在するスリット形状とすることにより、隣接する表示タイルから距離ｙ１離れた位置において、設置しようとしている表示タイルに偏心ピン８０（又は設置台用偏心ピン９０）を嵌合させることが可能となる。さらに、スリットを案内として、隣接する表示タイルに接する位置まで安全かつ正確に移動することが可能である。
【０１１４】
なお、表示装置３００を組み立てた後に各位置調整機構又は設置台用位置調整機構の微調整を行う場合は、調整を行いたい表示タイルの隣接する連結を緩めることで調整が行える構造となっている。
【０１１５】
また、実施の形態１、２では、６個の表示タイル１０１〜１０６を組み合わせて表示装置２００，３００を構成したが、表示タイルの個数はこれに限定されない。組み合わせる表示タイルの個数がより多い表示装置であっても、実施の形態１、２と同様の組立および調整を行うことが可能である。
【０１１６】
＜効果＞
本実施の形態２における表示装置３００は、マトリックス状に配置された複数の表示タイル１０１〜１０６を起立した状態に保持する設置台２０７と、設置台２０７と設置台２０７に接する表示タイル１０４〜１０６との間に設けられた設置台用位置調整機構Ａ４７ａ，Ａ４７ｂ，Ａ５７ａ，Ａ５７ｂ，Ａ６７ａ，Ａ６７ｂと、をさらに備え、設置台用位置調整機構は、設置台２０７に接する表示タイル１０４〜１０６に設けられた第３の開口部２３，３３と、設置台２０７の第３の開口部２３，３３と対向する位置に設けられた第４の開口部２４，３４と、設置台用偏心ピン９０と、を備え、設置台用偏心ピン９０は、第３の円柱部分９１と、第４の円柱部分９２と、を備え、第３の円柱部分９１の回転中心と第４の円柱部分９２の回転中心がずれており、第３の円柱部分９１は第３の開口部２３，３３に嵌合し、第４の円柱部分９２は第４の開口部２４，３４に嵌合し、設置台用偏心ピン９０の回転に応じて、設置台２０７と設置台２０７に接する表示タイル１０４〜１０６が表示面に対して前後方向に相対的に移動する。
【０１１７】
本実施の形態２における表示装置３００においては、設置台２０７と表示タイル１０４〜１０６の間に設置台用位置調整機構Ａ４７ａ，Ａ４７ｂ，Ａ５７ａ，Ａ５７ｂ，Ａ６７ａ，Ａ６７ｂを設けたことにより、表示タイル１０４〜１０６の表示面方向の設置台２０７に対する位置を調整することが可能となる。これにより、設置台２０７と表示タイル１０４〜１０６の間の表示面の段差を抑制することが可能である。よって、表示装置３００において、品位の高い、一体感のある画像表示が可能となる。
【０１１８】
また、本実施の形態２における表示装置３００において、第３の開口部２３，３３又は第４の開口部２４，３４は、表示面と平行な方向に延在するスリット形状である。
【０１１９】
従って、第３の開口部２３，３３又は第４の開口部２４，３４を、表示面と平行な方向に延在するスリット形状とすることにより、隣接する２つの表示タイルの間隔をスリットの長さ分だけ空けた状態において、第３、第４の開口部に設置台用偏心ピン９０を嵌合させることが可能となる。よって、第３、第４の開国部に設置台用偏心ピン９０を嵌合させた状態において、スリットを案内として隣接する２つの表示タイルの距離を近づけることが可能となるため、表示装置３００の組み立て作業において、隣接する表示タイル同士の接触によるＬＥＤ素子の破損などを抑制することが可能となる。
【０１２０】
また、本実施の形態２における表示装置３００において、設置台用偏心ピン９０は、設置台用偏心ピン９０を回転させる工具と嵌合する形状を有する頭部をさらに備える。
【０１２１】
従って、設置台用偏心ピン９０の頭部、即ち第３の円柱部分９１の端部に例えば六角レンチと嵌合する六角穴９１ａを設けることにより、六角レンチ等の工具を用いて偏心ピン９０を回転させることが可能となる。
【０１２２】
また、本実施の形態２における表示装置３００において、設置台用偏心ピン９０の頭部には、設置台用偏心ピン９０の回転角度を示す基準線９１ｂが設けられている。
【０１２３】
従って、設置台用偏心ピン９０の頭部に基準線９１ｂを設けることにより、設置台用偏心ピン９０がどの程度回転しているかの目安とすることができ、設置台用位置調整機構の調整を行う際の利便性が向上する。
【０１２４】
なお、本発明は、その発明の範囲内において、各実施の形態を自由に組み合わせたり、各実施の形態を適宜、変形、省略することが可能である。
【符号の説明】
【０１２５】
１１  表示モジュール基板、１２  ベース、１３  モールドベース、１００，１０１，１０２，１０３，１０４，１０５，１０６  表示タイル、Ａ１２，Ａ２３，Ａ１４ａ，Ａ１４ｂ，Ａ２５ａ，Ａ２５ｂ，Ａ３６ａ，Ａ３６ｂ，Ａ４５，Ａ５６  位置調整機構、Ａ４７ａ，Ａ４７ｂ，Ａ５７ａ，Ａ５７ｂ，Ａ６７ａ，Ａ６７ｂ  設置台用位置調整機構、ＡＲ１，ＡＲ２，ＡＲ３，ＡＲ４，ＡＲ５，ＡＲ６，ＡＲ７，ＡＲ８，ＡＲ９，ＡＲ１０，ＡＲ１１，ＡＲ１２，ＡＲ１３，ＡＲ１４，ＡＲ１５，ＡＲ１６  矢印、５０，５２，５６，５７  連結用ネジ穴、５１，５３，５４，５５  連結用貫通穴、７１，７２  連結用ボルト、８０  偏心ピン、８１  第１の円柱部分、８１ａ，９１ａ  六角穴、８１ｂ，９１ｂ  基準線、８２  第２の円柱部分、８３，９３  ネジ部、８４，９４  ナット、９０  設置台用偏心ピン、９１  第３の円柱部分、９２  第４の円柱部分、２０７  設置台、２５  台座部、２６  位置調整部、２００，３００  表示装置。
【図１】
2017211400.tif 000003
【図２】
2017211400.tif 000004
【図３】
2017211400.tif 000005
【図４】
2017211400.tif 000006
【図５】
2017211400.tif 000007
【図６】
2017211400.tif 000008
【図７】
2017211400.tif 000009
【図８】
2017211400.tif 000010
【図９】
2017211400.tif 000011
【図１０】
2017211400.tif 000012
【図１１】
2017211400.tif 000013
【図１２】
2017211400.tif 000014
【図１３】
2017211400.tif 000015
【図１４】
2017211400.tif 000016
【図１５】
2017211400.tif 000017
【図１６】
2017211400.tif 000018
【図１７】
2017211400.tif 000019
【図１８】
2017211400.tif 000020
【図１９】
2017211400.tif 000021
【図２０】
2017211400.tif 000022
【図２１】
2017211400.tif 000023
【図２２】
2017211400.tif 000024
【図２３】
2017211400.tif 000025
【図２４】
2017211400.tif 000026
【図２５】
2017211400.tif 000027
【図２６】
2017211400.tif 000028
【図２７】
2017211400.tif 000029
【図２８】
2017211400.tif 000030
【図２９】
2017211400.tif 000031
【図３０】
2017211400.tif 000032